(57)【特許請求の範囲】
【請求項１】
電子機器に有線接続された無線通信装置において、
複数のアンテナ手段と、
各上記アンテナ手段を介して所定の送信信号を受信する受信手段と、
上記電子機器から与えられる所定の信号を各上記アンテナ手段を介して送信する送信手段と、
各上記アンテナ手段の受信状態の変化を検出する検出手段と、
上記検出手段から得られる検出結果に基づいて各上記アンテナ手段の上記受信状態が変化したことを、上記送信手段及び各上記アンテナ手段を順次介して上記送信信号の送信元に報知する報知手段と
を具えることを特徴とする無線通信装置。
【請求項２】
上記検出手段は、
各上記アンテナ手段を介して上記受信手段によつて受信された上記送信信号の受信電界強度に基づいて上記受信状態の変化を検出する
ことを特徴とする請求項１に記載の無線通信装置。
【請求項３】
上記検出手段は、
各上記アンテナ手段の設置状態の変化を上記受信状態の変化として検出する
ことを特徴とする請求項１に記載の無線通信装置。
【請求項４】
上記報知手段は、
各上記アンテナ手段の上記受信状態が変化したことを自局に割り当てられた識別情報と共に上記送信手段及び各上記アンテナ手段を順次介して上記送信信号の上記送信元に報知する
ことを特徴とする請求項１に記載の無線通信装置。
【請求項５】
電子機器に有線接続された無線通信装置において、
複数のアンテナ手段と、
上記電子機器から与えられる所定の信号を各上記アンテナ手段を介して送信する送信手段と、
各上記アンテナ手段の設置状態の変化を検出する検出手段と、
上記検出手段から得られる検出結果に基づいて各上記アンテナ手段の上記設置状態が変化したことを、上記送信手段及び各上記アンテナ手段を順次介して上記信号の送信先に報知する報知手段と
を具えることを特徴とする無線通信装置。
【請求項６】
上記報知手段は、
各上記アンテナ手段の上記設置状態が変化したことを自局に割り当てられた識別情報と共に上記送信手段及び各上記アンテナ手段を順次介して上記信号の上記送信先に報知する
ことを特徴とする請求項５に記載の無線通信装置。
【発明の詳細な説明】
【０００１】
【目次】
以下の順序で本発明を説明する。
【０００２】
発明の属する技術分野
従来の技術
発明が解決しようとする課題
課題を解決するための手段（図１〜図５）
発明の実施の形態
（１）本実施の形態による無線ネツトワークシステムの構成（図１）
（２）無線通信装置の構成（図２〜図５）
（３）動作及び効果（図１〜図５）
（４）他の実施の形態（図１〜図５）
発明の効果
【０００３】
【発明の属する技術分野】
本発明は無線通信装置に関し、例えばテレビジヨン受像機及びビデオテープレコーダ間を無線接続して無線ネツトワークシステムを構築する無線通信装置に適用して好適なものである。
【０００４】
【従来の技術】
従来、テレビジヨン受像機及びビデオテープレコーダにおいては、これらの間をケーブルを介して接続することができるようになされており、当該ケーブルを介して接続することによりビデオテープレコーダによつてビデオテープから再生された映像音声信号をケーブルを介してテレビジヨン受像機に供給して当該映像音声信号に基づく映像及び音声をテレビジヨン受像機を介して送出させることができると共に、テレビジヨン受像機から映像音声信号をケーブルを介してビデオテープレコーダに供給してその映像音声信号をビデオテープレコーダによつてビデオテープに記録させることができる。
【０００５】
ところでテレビジヨン受像機及びビデオテープレコーダ間をケーブルを介して接続した場合には、そのケーブルの長さ等によりこれらテレビジヨン受像機及びビデオテープレコーダの設置場所等に物理的な制約が生じることになる。
【０００６】
このため、近年、テレビジヨン受像機及びビデオテープレコーダ間を無線接続して無線ネツトワークシステムを構築することにより、当該テレビジヨン受像機及びビデオテープレコーダをこれらに対する設置場所等の物理的な制約を大幅に解消してユーザの所望する場所に設置し得るようにすることが提案されている。
【０００７】
実際上この無線ネツトワークシステムでは、テレビジヨン受像機及びビデオテープレコーダにそれぞれケーブルを介して無線通信装置を接続することにより当該テレビジヨン受像機及びビデオテープレコーダ間をその無線通信装置を介して無線接続するようになされている。
【０００８】
これによりこの無線ネツトワークシステムでは、テープレコーダによつてビデオテープから再生された映像音声信号、及びテレビジヨン受像機から得られる映像音声信号をこのビデオテープレコーダに接続された無線通信装置と当該テレビジヨン受像機に接続された無線通信装置との間で無線通信するようにして、当該テレビジヨン受像機及びビデオテープレコーダを上述のようにケーブルを介して接続された場合と同様に動作させることができる。
【０００９】
【発明が解決しようとする課題】
ところでこのような無線ネツトワークシステムにおいては、無線通信装置間の通信性能を有効に発揮させるために各無線通信装置を他の無線通信装置から送信された映像音声信号の受信状態が最適となるように設置する必要がある。
【００１０】
ところがこの無線ネツトワークシステムでは、無線通信装置に地震の揺れ等のように外部から何らかの外力が加えられて当該無線通信装置の設置位置がずれる等して設置状態が変化すると、映像音声信号を最適な状態で受信し難くなる（すなわち無線通信装置間の通信品質が劣化する）場合がある。
【００１１】
この場合無線通信装置間の通信品質が大幅に悪化していれば、例えばテレビジヨン受像機を介して映像及び音声を視聴したユーザがその映像及び音声に発生するノイズ等によりこれを認識することができる。
【００１２】
しかしながら無線通信装置の設置状態がわずかに変化し、無線通信装置間の通信品質がわずかに劣化した場合には、ユーザがこれに気付かずにそのままテレビジヨン受像機及びビデオテープレコーダを動作させてしまう場合があり、無線通信装置が本来有する通信性能を有効に発揮させ難い問題があつた。
【００１３】
本発明は以上の点を考慮してなされたもので、通信品質の劣化を防止させ得る無線通信装置を提案しようとするものである。
【００１４】
【課題を解決するための手段】
かかる課題を解決するため本発明においては、電子機器に有線接続された無線通信装置に複数のアンテナ手段と、各アンテナ手段を介して所定の送信信号を受信する受信手段と、電子機器から与えられる所定の信号を各アンテナ手段を介して送信する送信手段と、各アンテナ手段の受信状態の変化を検出する検出手段と、検出手段から得られる検出結果に基づいて各アンテナ手段の受信状態が変化したことを、送信手段及び各アンテナ手段を順次介して送信信号の送信元に報知する報知手段とを設けるようにした。
【００１５】
この結果、各アンテナ手段を介して受信手段によつて送信信号を受信しながら各アンテナ手段の受信状態の変化を検出し、当該検出結果に基づいて各アンテナ手段の受信状態が変化したときにこれを送信信号の送信元に報知するようにしたことにより、通信品質のわずかな劣化も送信信号の送信元を介してユーザに認識させることができる。
【００１６】
また本発明においては、検出手段により、各アンテナ手段を介して受信手段によつて受信された送信信号の受信電界強度に基づいて受信状態の変化を検出するようにした。
【００１７】
この結果、各アンテナ手段の近傍又は接触するように金属製のものが置かれたり、これら各アンテナ手段が傾いたり、さらには無線通信装置間に遮蔽物が置かれた場合でも、これに伴う受信状態の変化を容易かつ確実に検出することができる。
【００１８】
さらに本発明においては、検出手段により、各アンテナ手段の設置状態の変化を受信状態の変化として検出するようにした。
【００１９】
この結果、各アンテナ手段の設置状態が変化したことに伴い通信品質がわずかに劣化しても、これを送信信号の送信元を介してユーザに認識させることができる。
【００２０】
さらに本発明においては、報知手段により、各アンテナ手段の受信状態が変化したことを自局に割り当てられた識別情報と共に送信手段及び各アンテナ手段を順次介して送信信号の送信元に報知するようにした。
【００２１】
この結果、送信信号の送信元を介して受信状態の変化した無線通信端末を識別情報によつて認識させることができる。
【００２２】
さらに本発明においては、電子機器に有線接続された無線通信装置に複数のアンテナ手段と、電子機器から与えられる所定の信号を各アンテナ手段を介して送信する送信手段と、各アンテナ手段の設置状態の変化を検出する検出手段と、検出手段から得られる検出結果に基づいて各アンテナ手段の設置状態が変化したことを、送信手段及び各アンテナ手段を順次介して信号の送信先に報知する報知手段とを設けるようにした。
【００２３】
この結果、電子機器から与えられる信号を送信手段によつて各アンテナ手段を介して送信しながら各アンテナ手段の設置状態の変化を検出し、当該検出結果に基づいて各アンテナ手段の設置状態が変化したときにこれを信号の送信先に報知するようにしたことにより、各アンテナ手段の設置状態が変化したことに伴い通信品質がわずかに劣化してもこれを信号の送信先を介してユーザに認識させることができる。
【００２４】
さらに本発明においては、報知手段により、各アンテナ手段の設置状態が変化したことを自局に割り当てられた識別情報と共に送信手段及び各アンテナ手段を順次介して信号の送信先に報知するようにした。
【００２５】
この結果、信号の送信先を介して受信状態の変化した無線通信端末を識別情報によつて認識させることができる。
【００２６】
【発明の実施の形態】
以下図面について、本発明の一実施の形態を詳述する。
【００２７】
（１）本実施の形態による無線ネツトワークシステムの構成
図１は、全体として本発明による無線ネツトワークシステム１を示し、第１のビデオテープレコーダ２、第２のビデオテープレコーダ３及びテレビジヨン受像機４がそれぞれケーブル５Ａ〜５Ｃを介して接続された対応する第１〜第３の無線通信装置６〜８を介して無線接続されると共に、これら第１〜第３の無線通信装置６〜８にコンピユータ等でなる操作端末９が無線接続されて構成されている。
【００２８】
この場合第１〜第３の無線通信装置６〜８においては、対応する第１及び第２のビデオテープレコーダ２及び３並びにテレビジヨン受像機４から映像音声信号がケーブル５Ａ〜５Ｃを介して与えられ、当該与えられた映像音声信号を所定方式で変調することにより得られる送信信号を平面状でなるアンテナ（以下、これを平面アンテナと呼ぶ）１１Ａ及び１１Ｂ、１２Ａ及び１２Ｂ並びに１３Ａ及び１３Ｂを介して他の第１〜第３の無線通信装置６〜８に送信する。
【００２９】
また第１〜第３の無線通信装置６〜８は、他の第１〜第３の無線通信装置６〜８から送信された送信信号を平面アンテナ１１Ａ及び１１Ｂ、１２Ａ及び１２Ｂ並びに１３Ａ及び１３Ｂを介して受信し、当該受信した送信信号を所定方式で復調することにより得られる映像音声信号をケーブル５Ａ〜５Ｃを介して対応する第１及び第２のビデオテープレコーダ２及び３並びにテレビジヨン受像機４に送出する。
【００３０】
これによりこの無線ネツトワークシステム１では、第１のビデオテープレコーダ２によつて第１のビデオテープから再生された映像音声信号を第２のビデオテープレコーダ３によつて第２のビデオテープに記録させることができると共に、当該映像音声信号に基づく映像及び音声をテレビジヨン受像機４を介して送出させることができる。
【００３１】
またこの無線ネツトワークシステム１では、第２のビデオテープレコーダ３によつて第２のビデオテープから再生された映像音声信号を第１のビデオテープレコーダ２によつて第１のビデオテープに記録させることができると共に、当該映像音声信号に基づく映像及び音声をテレビジヨン受像機４を介して送出させることができる。
【００３２】
さらにこの無線ネツトワークシステム１では、テレビジヨン受像機４から出力される映像音声信号を第１のビデオテープレコーダ２によつて第１のビデオテープに記録させることができると共に、第２のビデオテープレコーダ３によつて第２のビデオテープに記録させることができる。
【００３３】
ところで第１〜第３の無線通信装置６〜８は、それぞれ対応する第１及び第２のビデオテープレコーダ２及び３上並びにテレビジヨン受像機４上に他の第１〜第３の無線通信装置６〜８から送信される送信信号の受信状態が最適となるように設置される。
【００３４】
ところが第１〜第３の無線通信装置６〜８においては、地震の揺れ等のように外部から何らかの外力が加えられて当該第１〜第３の無線通信装置６〜８が転倒する等してその設置状態が変化すると、平面アンテナ１１Ａ及び１１Ｂ、１２Ａ及び１２Ｂ並びに１３Ａ及び１３Ｂの向きが変わる等して送信信号の受信状態が変化する（第１〜第３の無線通信装置６〜８間における通信品質が劣化する）。
【００３５】
このため第１〜第３の無線通信装置６〜８においては、設置状態が変化したときにこれを受信エラーとして検出する。そして第１〜第３の無線通信装置６〜８においては、その受信エラーの検出結果と、第１〜第３の無線通信装置６〜８に予め割り当てられた識別情報とからなるエラー検出信号を生成し、当該生成したエラー検出信号を所定方式で変調することにより得られるエラー送信信号を平面アンテナ１１Ａ及び１１Ｂ、１２Ａ及び１２Ｂ並びに１３Ａ及び１３Ｂを介して操作端末９に送信するようになされている。
【００３６】
このとき操作端末９では、第１〜第３の無線通信装置６〜８から送信されたエラー送信信号をアンテナ１０を介して受信し、当該受信したエラー送信信号を所定方式で復調することによりエラー検出信号を得て、このエラー検出信号に基づく受信エラー発生の情報と識別情報とをデイスプレイ１４に表示する。
【００３７】
これによりこの無線ネツトワークシステム１においては、第１〜第３の無線通信装置６〜８において送信信号の受信状態が変化したとき、その受信状態が変化したことと当該受信状態の変化した第１〜第３の無線通信装置６〜８とを操作端末９のデイスプレイ１４を介してユーザに報知して認識させることができるようになされている。
【００３８】
（２）無線通信装置の構成
ここで第１の無線通信装置６においては、図２に示すように、第１の無線通信装置６本体の外郭を形成する箱状でなる筐体１５の側面（４面全て）１５Ａ及び１５Ｂに平面アンテナ１１Ａ及び１１Ｂが配設されている。
【００３９】
またこの第１の無線通信装置６の筐体１５の所定側面１５Ａ下側には、警告用スピーカ１７及び警告用ランプ１８が配設されている。
【００４０】
これにより第１の無線通信装置６では、送信信号の設置状態が変化したときに各平面アンテナ１１Ａ及び１１Ｂを介してエラー送信信号を送信することに加えて、警告用スピーカ１７から警告音を発生させ、かつ警告用ランプ１８を点灯させることにより、第１の無線通信装置６自体も受信状態が変化したことをユーザに報知して認識させることができるようになされている。
【００４１】
実際上第１の無線通信装置６においては、図３に示すように、送信信号Ｓ１の送信時、第１のビデオテープレコーダ２によつて第１のビデオテープから再生された映像音声信号Ｓ２がケーブル５Ａを介して送受信機２０に供給される。
【００４２】
送受信機２０は、制御部２１の制御のもとに、第１のビデオテープレコーダ２から与えられる映像音声信号Ｓ２を所定方式で変調し、得られた送信信号Ｓ１を各平面アンテナ１１Ａ〜１１Ｄを介して第２及び第３の無線通信装置７及び８に送信する。
【００４３】
また送受信機２０は、指向性ダイバーシチ方式が適用されている。従つてこの送受信機２０では、送信信号Ｓ３の受信時、制御部２１の制御のもとに、第２及び第３の無線通信装置７及び８から送信される送信信号Ｓ３を４つの平面アンテナ１１Ａ〜１１Ｄをそれぞれ介して受信し、当該受信した各送信信号Ｓ３のうち受信電界強度の最も高い送信信号Ｓ３を選定することによりマルチパスフエージングを低減させた送信信号Ｓ３を得ることができる。
【００４４】
これにより送受信機２０は、そのマルチパスフエージングを低減させた（選定した）送信信号Ｓ３を所定方式で復調し、得られる各映像音声信号Ｓ４をケーブル５Ａを介して第１のビデオテープレコーダ２に送出する。
【００４５】
制御部２１は、第１の無線通信装置６が地震の揺れ等のように外部から何らかの外力が加えられて転倒すると、これを転倒検出用スイツチ２２によつて受信エラーとして検出する。
【００４６】
そして制御部２１は、このときメモリ２３からこれに予め格納されている、第１の無線通信装置６に予め割り当てられた識別情報を読み出し、当該読み出した識別情報と受信エラー発生の情報とからなるエラー検出信号Ｓ５を生成してこれを送受信機２０及び各平面アンテナ１１Ａ〜１１Ｄを順次介してエラー送信信号Ｓ６として操作端末９に送信する。
【００４７】
これに加えて制御部２１は、このとき警告用スピーカ１７を介して警告音を発生させると共に、警告用ランプ１８を点灯させ、かくしてユーザに第１の無線通信装置６が転倒してその受信状態が変化したことを認識させることができるようになされている。
【００４８】
実際上転倒検出用スイツチ２２は、図４に示すように、第１の無線通信装置６の筐体１５の底部１５Ｃに突出するように設けられ、当該第１の無線通信装置６がその筐体１５の底部１５Ｃを第１のビデオテープレコーダ２の上部２Ａに対向させて設置されたときに当該第１のビデオテープレコーダ２の上部２Ａに押されて筐体１５の内部に所定長さ引つ込み、これにより第１の無線通信装置６が転倒していないことを表す例えばオフ状態となる。
【００４９】
そして転倒検出用スイツチ２は、図５に示すように、第１の無線通信装置６が地震の揺れ等のように外部から何らかの外力が与えられて転倒することによりその筐体１５の底部１５Ｃが第１のビデオテープレコーダ２の上部２Ａから離れると、当該筐体１５の底部１５Ｃから所定長さ突出し、これにより第１の無線通信装置６が転倒したことを表す例えばオン状態となる。
【００５０】
このようにして第１の無線通信装置６では、制御部２１が転倒検出用スイツチ２２によつて当該第１の無線通信装置６が転倒したことを検出することができる。
【００５１】
なお第２及び第３の無線通信装置７及び８は、上述した第１の無線通信装置６と同様に構成されており、受信状態が変化したときにこれを検出して操作端末９及び警告用スピーカ１７並びに警告用ランプ１８に報知することができる。
【００５２】
（３）動作及び効果
以上の構成において、第１〜第３の無線通信装置６〜８では、当該第１〜第３の無線通信装置６〜８が転倒したときにこれを転倒検出用スイツチ２２によつて検出し、その転倒による設置状態の変化に伴つて受信状態が変化することを操作端末９及び警告用スピーカ１７並びに警告用ランプ１８を介してユーザに報知する。
【００５３】
因みに第１〜第３の無線通信装置６〜８では、転倒したときに１つの平面アンテナ１１Ａ〜１１Ｄ、１２Ａ及び１２Ｂ並びに１３Ａ及び１３Ｂが接触する第１及び第２のビデオテープレコーダ２及び３並びにテレビジヨン受像機４の筐体が金属で形成されていると、まず送信信号Ｓ３の受信時にその筐体が遮蔽板となつてこれに接触している平面アンテナ１１Ａ〜１１Ｄ、１２Ａ及び１２Ｂ並びに１３Ａ及び１３Ｂを介して送信信号Ｓ３を受信し難くなり、残りの３つの平面アンテナ１１Ａ〜１１Ｄ、１２Ａ及び１２Ｂ並びに１３Ａ及び１３Ｂを介して送信信号Ｓ３を受信することになる。
【００５４】
また送信信号Ｓ１の送信時には、第１及び第２のビデオテープレコーダ２及び３並びにテレビジヨン受像機４の筐体に接触した平面アンテナ１１Ａ〜１１Ｄ、１２Ａ及び１２Ｂ並びに１３Ａ及び１３Ｂによつてそのアンテナ特性が著しく劣化してアンテナ利得が大幅に低下することにより送信信号Ｓ１を送信し難くなり、残りの３つの平面アンテナ１１Ａ〜１１Ｄ、１２Ａ及び１２Ｂ並びに１３Ａ及び１３Ｂを介して送信信号Ｓ１を送信することになる。
【００５５】
この結果転倒した第１〜第３の無線通信装置６〜８による送信信号Ｓ３の受信時には、４つの平面アンテナ１１Ａ〜１１Ｄ、１２Ａ及び１２Ｂ並びに１３Ａ及び１３Ｂがそれぞれ異なる位置に配設されていることにより確保されるべき送信信号Ｓ３の４つの伝送路が３つに減ることにより、受信電界強度の最も高い送信信号Ｓ３を選定するときの選択肢が減り、その分送信信号Ｓ３を最も良好に受信し得る確率が減少してユーザが気付かない程度に通信品質が劣化することがあると考えられる。
【００５６】
また転倒した第１〜第３の無線通信装置６〜８による送信信号Ｓ１の送信時には、４つの平面アンテナ１１Ａ〜１１Ｄ、１２Ａ及び１２Ｂ並びに１３Ａ及び１３Ｂがそれぞれ異なる位置に配設されていることにより確保されるべき送信信号Ｓ１の４つの伝送路が３つに減ることにより、当該転倒した第１〜第３の無線通信装置６〜８から送信された送信信号Ｓ１を受信する他の第１〜第３の無線通信装置６〜８において上述した送信信号Ｓ３の受信時と同様に送信信号Ｓ１を最も良好に受信し得る確率が減少してユーザが気付かない程度に通信品質が劣化することがあると考えられる。
【００５７】
しかしながら第１〜第３の無線通信装置６〜８では、転倒したことにより設置状態が変化したときにこれを受信状態が変化したこととして端末装置９及び警告用スピーカ１７並びに警告用ランプ１８を介してユーザに報知することにより、当該転倒による設置状態の変化に伴い通信品質がわずかに劣化してもこれを受信状態の変化としてユーザに認識させることができる。
【００５８】
またこの第１〜第３の無線通信装置６〜８では、筐体１５の側面１５Ａ及び１５Ｂに平面アンテナ１１Ａ〜１１Ｄ及び１２Ａ〜１２Ｄ並びに１３Ａ〜１３Ｄを設けるようにしたことにより、当該第１〜第３の無線通信装置６〜８の大きさを筐体１５の大きさとほぼ同じ大きさに構成することができる。
【００５９】
以上の構成によれば、第１〜第３の無線通信装置６〜８において、当該第１〜第３の無線通信装置６〜８が転倒したときにこれを転倒検出用スイツチ２２によつて検出し、この転倒により設置状態が変化したことを受信状態が変化したこととしてこれを操作端末９及び警告用スピーカ１７並びに警告用ランプ１８を介してユーザに報知するようにしたことにより、当該転倒による設置状態の変化に伴い通信品質がわずかに劣化してもこれをユーザに認識させることができ、かくして通信品質の劣化を防止させることができる。
【００６０】
（４）他の実施の形態
なお上述の実施の形態においては、第１〜第３の無線通信装置６〜８の筐体１５の４つの側面１５Ａ及び１５Ｂ全てに平面アンテナ１１Ａ〜１１Ｄ、１２Ａ及び１２Ｂ並びに１３Ａ及び１３Ｂを配設するようにした場合について述べたが、本発明はこれに限らず、これら各側面１５Ａ及び１５Ｂに加えて筐体１５の上面にも平面アンテナを配設するようにしても良い。
【００６１】
また上述の実施の形態においては、本発明を第１及び第２のビデオテープレコーダ２及び３並びにテレビジヨン受像機４を無線接続して無線ネツトワークシステム１を構築する第１〜第３の無線通信装置６〜８に適用するようにした場合について述べたが、本発明はこれに限らず、コンパクトデイスクプレーヤ等のオーデイオ機器、コンピユータ、プリンタ、フアクシミリ等のようにこの他種々の電子機器を無線接続して無線ネツトワークシステムを構築する無線通信装置に適用するようにしても良い。
【００６２】
さらに上述の実施の形態においては、第１〜第３の無線通信装置６〜８において受信状態が変化したことを操作端末９及び警告用スピーカ１７並びに警告用ランプ１８を介してユーザに報知するようにした場合について述べたが、本発明はこれに限らず、受信状態が変化したことを送信信号Ｓ１の送信時及び又は送信信号Ｓ３の受信時に当該受信状態の変化した第１〜第３の無線通信装置６〜８に接続されている第１及び第２のビデオテープレコーダ２及び３並びにテレビジヨン受像機４を介してユーザに報知したり、当該受信状態の変化した第１〜第３の無線通信装置６〜８に送信信号Ｓ１を送信した送信元ととなる他の第１〜第３の無線通信装置６〜８自体又はこれらに接続されている第１及び第２のビデオテープレコーダ２及び３並びにテレビジヨン受像機４を介してユーザに報知したり、さらには受信状態が変化したことを全てテレビジヨン受像機４を介してユーザに報知する等のように、この他種々の方法によつて受信状態が変化したことをユーザに報知するようにしても良い。
【００６３】
さらに上述の実施の形態においては、第１〜第３の無線通信装置６〜８が転倒していないときには転倒検出用スイツチ２２がオフ状態となり、当該第１〜第３の無線通信装置６〜８が転倒したときには転倒検出用スイツチ２２がオン状態となるようにした場合について述べたが、本発明はこれに限らず、第１〜第３の無線通信装置６〜８が転倒していないときには転倒検出用スイツチ２２がオン状態となり、当該第１〜第３の無線通信装置６〜８が転倒したときには転倒検出用スイツチ２２がオフ状態となるようにしても良い。
【００６４】
さらに上述の実施の形態においては、複数のアンテナ手段として、平面アンテナ１１Ａ〜１１Ｄ、１２Ａ及び１２Ｂ並びに１３Ａ及び１３Ｂを適用するようにした場合について述べたが、本発明はこれに限らず、棒状でなるアンテナ等のように、この他種々の形状でなるアンテナを適用するようにしても良い。
【００６５】
さらに上述の実施の形態においては、各アンテナ手段１１Ａ〜１１Ｄを介して所定の送信信号Ｓ３を受信する受信手段として、送受信機２０を適用するようにした場合について述べたが、本発明はこれに限らず、各アンテナ手段１１Ａ〜１１Ｄを介して送信信号Ｓ３を受信することができれば、この他種々の受信手段を適用するようにしても良い。
【００６６】
さらに上述の実施の形態においては、各アンテナ手段１１Ａ〜１１Ｄの受信状態の変化を検出する検出手段として、制御部２１及び転倒検出用スイツチ２２を適用するようにした場合について述べたが、本発明はこれに限らず、各アンテナ手段１１Ａ〜１１Ｄの受信状態の変化を検出することができれば、例えば送受信機２０において各送信信号Ｓ３のうち受信電界強度が最も高い送信信号Ｓ３を選定したときにその選定により得られる送信信号Ｓ３を、予め設定された受信電界強度の所定のしきい値と比較し、当該送信信号Ｓ３の受信電界強度が予め設定された所定時間以上そのしきい値よりも低下したときにこれを各平面アンテナ１１Ａ〜１１Ｄの受信状態が変化したこととして検出するようにしても良い。
【００６７】
このようにすれば第１〜第３の無線通信装置６〜８では、その転倒に限らず、平面アンテナ１１Ａ〜１１Ｄ及び１２Ａ〜１２Ｄ並びに１３Ａ〜１３Ｄの近傍又はそれらに接触するように何らかの金属製のものが置かれたり、当該第１〜第３の無線通信装置６〜８が転倒するまでには至らないまでも第１及び第２のビデオテープレコーダ２及び３並びにテレビジヨン受像機４の筐体に所定距離まで近づくように傾いたり、さらには第１〜第３の無線通信装置６〜８の間に何らかの遮蔽物が置かれる等して受信状態が変化した場合でもこれを容易かつ確実に検出することができ、これをユーザに報知するようにすれば上述した実施の形態よりもさらに確実に通信品質の劣化を防止させることができる。
【００６８】
さらに上述の実施の形態においては、検出手段２１及び２３から得られる検出結果に基づいて各アンテナ手段１１Ａ〜１１Ｄの受信状態が変化したことを報知する報知手段として、制御部２１、警告用スピーカ１７、警告用ランプ１８及び操作端末９を適用するようにした場合について述べたが、本発明はこれに限らず、各アンテナ手段１１Ａ〜１１Ｄの受信状態が変化したことを報知することができれば、この他音や光等を用いた種々の報知手段を適用するようにしても良い。
【００６９】
さらに上述の実施の形態においては、各アンテナ手段１１Ａ〜１１Ｄの設置状態の変化を検出する検出手段として、制御部２１及び転倒検出用スイツチ２２を適用するようにした場合について述べたが、本発明はこれに限らず、各アンテナ手段１１Ａ〜１１Ｄの設置状態の変化を検出することができれば、この他種々のセンサ等の検出手段を適用するようにしても良い。
【００７０】
さらに上述の実施の形態においては、検出手段２１及び２３から得られる検出結果に基づいて各アンテナ手段１１Ａ〜１１Ｄの設置状態が変化したことを報知する報知手段として、制御部２１、警告用スピーカ１７、警告用ランプ１８及び操作端末９を適用するようにした場合について述べたが、本発明はこれに限らず、各アンテナ手段１１Ａ〜１１Ｄの設置状態が変化したことを報知することができれば、この他音や光等を用いた種々の報知手段を適用するようにしても良い。
【００７１】
さらに上述の実施の形態においては、電子機器２に有線接続され、当該電子機器２から与えられる所定の信号Ｓ２を各アンテナ手段１１Ａ〜１１Ｄを介して送信する送信手段として、送受信機２０を適用するようにした場合について述べたが、本発明はこれに限らず、各アンテナ手段１１Ａ〜１１Ｄを介して信号Ｓ２を送信することができれば、この他種々の送信手段を適用するようにしても良い。
【００７２】
【発明の効果】
上述のように本発明によれば、各アンテナ手段を介して受信手段によつて送信信号を受信しながら各アンテナ手段の受信状態の変化を検出し、当該検出結果に基づいて各アンテナ手段の受信状態が変化したときにこれを送信信号の送信元に報知するようにしたことにより、通信品質のわずかな劣化も送信信号の送信元を介してユーザに認識させることができ、かくして通信品質の劣化を防止させ得る無線通信装置を実現することができる。
【００７３】
また電子機器から与えられる信号を送信手段によつて各アンテナ手段を介して送信しながら各アンテナ手段の設置状態の変化を検出し、当該検出結果に基づいて各アンテナ手段の設置状態が変化したときにこれを信号の送信先に報知するようにしたことにより、各アンテナ手段の設置状態が変化したことに伴い通信品質がわずかに劣化してもこれを信号の送信先を介してユーザに認識させることができ、かくして通信品質の劣化を防止させ得る無線通信装置を実現することができる。
【図面の簡単な説明】
【図１】本発明による第１〜第３の無線通信装置が用いられて構成された無線ネツトワークシステムの構成を示す略線的斜視図である。
【図２】本発明による第１の無線通信装置の一実施の形態を示す略線的斜視図である。
【図３】第１の無線通信装置の回路構成を示すブロツク図である。
【図４】第１の無線通信装置の設置の説明に供する略線的平面図である。
【図５】転倒検出用スイツチによる第１の無線通信装置の転倒の検出の説明に供する略線的平面図である。
【符号の説明】
１……無線ネツトワークシステム、２……第１のビデオテープレコーダ、３……第２のビデオテープレコーダ、４……テレビジヨン受像機、６……第１の無線通信装置、７……第２の無線通信装置、８……第３の無線通信装置、９……操作端末、１１Ａ、１１Ｂ、１１Ｃ、１１Ｄ、１２Ａ、１２Ｂ、１３Ａ、１３Ｂ……平面アンテナ、１５……筐体、１７……警告用スピーカ、１８……警告用ランプ、２０……送受信機、２１……制御部、２２……転倒検出用スイツチ、２３……メモリ、Ｓ１、Ｓ３……送信信号、Ｓ２、Ｓ４……映像音声信号、Ｓ５……エラー検出信号、Ｓ６……エラー送信信号。
【図１】
0003587340.tif 000002
【図２】
0003587340.tif 000003
【図３】
0003587340.tif 000004
【図４】
0003587340.tif 000005
【図５】
0003587340.tif 000006